(57)【要約】【課題】簡単な構成で手ブレ及び被写体ブレによる撮影ミスを防止できる露出設定方法及び装置を提供する。【解決手段】測光して求めたＥＶ値に基づいて感度と絞り値とシャッタ速度とを設定する露出設定方法において、手ブレ限界シャッタ速度よりも所定段速いシャッタ速度を下限シャッタ速度として規定し、シャッタ速度が、常に下限シャッタ速度以上になるように、感度と絞り値とシャッタ速度とを設定し、感度と絞り値が設定限界に達すると、シャッタ速度を下限シャッタ速度よりも遅く設定する。【選択図】      図２
2007025129.tif 000002
【特許請求の範囲】
【請求項１】
測光して求めた測光値に基づいて感度と絞り値とシャッタ速度とを設定する露出設定方法において、
手ブレ限界シャッタ速度よりも所定段速いシャッタ速度を下限シャッタ速度として規定し、
シャッタ速度が、常に前記下限シャッタ速度以上になるように、感度と絞り値とシャッタ速度とを設定し、
感度と絞り値が設定限界に達すると、シャッタ速度を前記下限シャッタ速度よりも遅く設定することを特徴とする露出設定方法。
【請求項２】
感度を一定にした状態で常にシャッタ速度が前記下限シャッタ速度以上になるように、絞り値とシャッタ速度とを設定し、
絞り値が設定限界に達すると、感度を上げてシャッタ速度を前記下限シャッタ速度以上に設定し、
感度が設定限界値に達すると、シャッタ速度を前記下限シャッタ速度よりも遅く設定することを特徴とする請求項１に記載の露出設定方法。
【請求項３】
ブレ軽減を目的とする撮影モードに設定されると、
請求項１又は２に記載の露出設定方法で感度と絞り値とシャッタ速度を設定し、
通常モードに設定されると、
シャッタ速度が、常に前記手ブレ限界シャッタ速度以上になるように、感度と絞り値とシャッタ速度とを設定し、
感度と絞り値が設定限界値に達すると、シャッタ速度を前記手ブレ限界シャッタ速度よりも遅く設定することを特徴とする請求項１又は２に記載の露出設定方法。
【請求項４】
測光して求めた測光値に基づいて感度と絞り値とシャッタ速度とを設定する露出設定装置において、
手ブレ限界シャッタ速度よりも所定段速いシャッタ速度を下限シャッタ速度として記憶する記憶手段と、
シャッタ速度が、常に前記下限シャッタ速度以上になるように、感度と絞り値とシャッタ速度とを設定し、感度と絞り値が設定限界に達すると、シャッタ速度を前記下限シャッタ速度よりも遅く設定する露出設定手段と、
を備えたことを特徴とする露出設定装置。
【請求項５】
前記露出設定手段は、感度を一定にした状態で常にシャッタ速度が前記下限シャッタ速度以上になるように、絞り値とシャッタ速度とを設定し、絞り値が設定限界に達すると、感度を上げてシャッタ速度を前記下限シャッタ速度以上に設定し、感度が設定限界値に達すると、シャッタ速度を前記下限シャッタ速度よりも遅く設定することを特徴とする請求項４に記載の露出設定装置。
【請求項６】
撮影モードとして通常モードに切り換える切換手段を有し、該通常モードに切り換えられると、前記露出設定手段は、シャッタ速度が、常に前記手ブレ限界シャッタ速度以上になるように、感度と絞り値とシャッタ速度とを設定し、感度と絞り値が設定限界に達すると、シャッタ速度を前記手ブレ限界シャッタ速度よりも遅く設定することを特徴とする請求項４又は５に記載の露出設定装置。
【発明の詳細な説明】
【技術分野】
【０００１】
本発明は露出設定方法及び装置に係り、特に撮影時の手ブレ、被写体ブレを軽減するデジタルカメラの露出設定方法及び装置に関する。
【背景技術】
【０００２】
撮影時に手ブレが生じると、画像がブレ、ぼやけた画像が撮影されてしまうという欠点がある。このため手ブレ補正機能を搭載したデジタルカメラが増えている。
【０００３】
従来の手ブレ補正機構としては、ブレを打ち消すように、撮影光学系の一部を平行移動させてブレを補正するレンズシフト方式や、ブレを打ち消すように、撮像素子を平行移動させてブレを補正する撮像素子シフト方式などが知られている。
【特許文献１】特開２００５−１２８０９２号公報
【発明の開示】
【発明が解決しようとする課題】
【０００４】
しかしながら、レンズシフト方式や撮像素子シフト方式の手ブレ補正機構をデジタルカメラに搭載すると、デジタルカメラの構成が複雑かつ大型化し、またコスト高になるという欠点があった。また、手ブレによる撮影ミスは防止できるが、被写体が動いて撮影ミスする被写体ブレは防止できないという欠点もあった。
【０００５】
本発明は、このような事情に鑑みてなされたもので、簡単な構成で手ブレ及び被写体ブレによる撮影ミスを防止できる露出設定方法及び装置を提供することを目的とする。
【課題を解決するための手段】
【０００６】
請求項１に係る発明は、前記目的を達成するために、測光して求めた測光値に基づいて感度と絞り値とシャッタ速度とを設定する露出設定方法において、手ブレ限界シャッタ速度よりも所定段速いシャッタ速度を下限シャッタ速度として規定し、シャッタ速度が、常に前記下限シャッタ速度以上になるように、感度と絞り値とシャッタ速度とを設定し、感度と絞り値が設定限界に達すると、シャッタ速度を前記下限シャッタ速度よりも遅く設定することを特徴とする露出設定方法を提供する。
【０００７】
請求項１に係る発明によれば、感度と絞りの設定限界に達するまで、シャッタ速度が下限シャッタ速度以上に維持される。これにより、手ブレと被写体ブレを効果的に抑止でき、撮影ミスを防止できる。
【０００８】
請求項２に係る発明は、前記目的を達成するために、感度を一定にした状態で常にシャッタ速度が前記下限シャッタ速度以上になるように、絞り値とシャッタ速度とを設定し、絞り値が設定限界に達すると、感度を上げてシャッタ速度を前記下限シャッタ速度以上に設定し、感度が設定限界値に達すると、シャッタ速度を前記下限シャッタ速度よりも遅く設定することを特徴とする請求項１に記載の露出設定方法を提供する。
【０００９】
請求項２に係る発明によれば、まず、感度を一定にした状態でシャッタ速度が下限シャッタ速度以上になるように、絞り値とシャッタ速度とが設定される。そして、絞り値が設定限界に達すると、感度を上げてシャッタ速度が下限シャッタ速度以上になるように設定される。これにより、手ブレ、被写体ブレによる撮影ミスを防止できる。
【００１０】
請求項３に係る発明は、前記目的を達成するために、ブレ軽減を目的とする撮影モードに設定されると、請求項１又は２に記載の露出設定方法で感度と絞り値とシャッタ速度を設定し、通常モードに設定されると、シャッタ速度が、常に前記手ブレ限界シャッタ速度以上になるように、感度と絞り値とシャッタ速度とを設定し、感度と絞り値が設定限界値に達すると、シャッタ速度を前記手ブレ限界シャッタ速度よりも遅く設定することを特徴とする請求項１又は２に記載の露出設定方法を提供する。
【００１１】
請求項３に係る発明によれば、通常モードに設定されると、シャッタ速度が手ブレ限界シャッタ速度以上に維持され、ブレ軽減を目的とする撮影モードに設定されると、下限シャッタ速度以上に維持される。これにより、撮影目的に応じた撮影方法を選択できるようになる。すなわち、通常モードを選択すれば、感度アップによる画質低下を抑えることができ、ブレ軽減を目的とする撮影モードを選択すれば、手ブレ、被写体ブレによる撮影ミスを防止できる。
【００１２】
請求項４に係る発明は、前記目的を達成するために、測光して求めた測光値に基づいて感度と絞り値とシャッタ速度とを設定する露出設定装置において、手ブレ限界シャッタ速度よりも所定段速いシャッタ速度を下限シャッタ速度として記憶する記憶手段と、シャッタ速度が、常に前記下限シャッタ速度以上になるように、感度と絞り値とシャッタ速度とを設定し、感度と絞り値が設定限界に達すると、シャッタ速度を前記下限シャッタ速度よりも遅く設定する露出設定手段と、を備えたことを特徴とする露出設定装置を提供する。
【００１３】
請求項４に係る発明によれば、感度と絞りの設定限界に達するまで、シャッタ速度が下限シャッタ速度以上に維持される。これにより、手ブレと被写体ブレを効果的に抑止でき、撮影ミスを防止できる。
【００１４】
請求項５に係る発明は、前記目的を達成するために、前記露出設定手段は、感度を一定にした状態で常にシャッタ速度が前記下限シャッタ速度以上になるように、絞り値とシャッタ速度とを設定し、絞り値が設定限界に達すると、感度を上げてシャッタ速度を前記下限シャッタ速度以上に設定し、感度が設定限界値に達すると、シャッタ速度を前記下限シャッタ速度よりも遅く設定することを特徴とする請求項４に記載の露出設定装置を提供する。
【００１５】
請求項５に係る発明によれば、まず、感度を一定にした状態でシャッタ速度が下限シャッタ速度以上になるように、絞り値とシャッタ速度とが設定される。そして、絞り値が設定限界に達すると、感度を上げてシャッタ速度が下限シャッタ速度以上になるように設定される。これにより、手ブレ、被写体ブレによる撮影ミスを防止できる。
【００１６】
請求項６に係る発明は、前記目的を達成するために、撮影モードとして通常モードに切り換える切換手段を有し、該通常モードに切り換えられると、前記露出設定手段は、シャッタ速度が、常に前記手ブレ限界シャッタ速度以上になるように、感度と絞り値とシャッタ速度とを設定し、感度と絞り値が設定限界に達すると、シャッタ速度を前記手ブレ限界シャッタ速度よりも遅く設定することを特徴とする請求項４又は５に記載の露出設定装置を提供する。
【００１７】
請求項６に係る発明によれば、撮影モードが、通常モードに設定されると、シャッタ速度が手ブレ限界シャッタ速度以上に維持される。これにより、撮影目的に応じた撮影方法を選択できるようなる。すなわち、通常モードを選択すれば、感度アップによる画質低下を抑えることができ、他のモードを選択すれば、手ブレ、被写体ブレによる撮影ミスを防止できる。
【発明の効果】
【００１８】
本発明に係る露出設定方法及び装置によれば、簡単な構成で効果的に手ブレ及び被写体ブレによる撮影ミスを防止することができる。
【発明を実施するための最良の形態】
【００１９】
以下、添付図面に従って本発明に係る露出設定方法及び装置を実施するための最良の形態について詳説する。
【００２０】
図１は、本発明が適用されたデジタルカメラの構成を示すブロック図である。同図に示すように、本実施の形態のデジタルカメラ１０は、撮影光学系１２、撮像素子１４、タイミングジェネレータ（ＴＧ）１６、アナログ信号処理部１８、Ａ／Ｄ変換器２０、画像入力コントローラ２２、デジタル信号処理部２４、エンコーダ２８、画像表示部３０、圧縮・伸張処理部３２、メディアコントローラ３４、記憶メディア３６、ＡＥ検出部３８、ＡＦ検出部４０、ＣＰＵ４２、ＲＯＭ４４、ＲＡＭ４６、フラッシュＲＯＭ４８、操作部５０等で構成されている。
【００２１】
デジタルカメラ１０の全体の動作は、ＣＰＵ４２によって統括制御されており、ＣＰＵ４２は操作部５０からの入力に基づき所定のプログラムに従ってデジタルカメラ１０の各部を制御する。
【００２２】
ＲＯＭ４４には、このＣＰＵ４２が実行するプログラムの他、プログラム線図等の各種制御に必要なデータが格納されている。ＣＰＵ４２は、このＲＯＭ４４に格納されたプログラムをＲＡＭ４６に展開し、ＲＡＭ４６を作業メモリとして使用しながら各種処理を実行する。また、フラッシュＲＯＭ４８には、ユーザ設定情報等のデジタルカメラ１０の動作に関する各種設定情報等が格納されている。
【００２３】
撮影光学系１２は、ズームレンズ１２ｚ、フォーカスレンズ１２ｆ、絞り（たとえば、虹彩絞り）１２ｉを含み、それぞれズームモータ６０ｚ、フォーカスモータ６０ｆ、アイリスモータ６０ｉに駆動されて作動する。すなわち、ズームレンズ１２ｚは、ズームモータ６０ｚに駆動されて撮影光軸上を前後移動し、これにより、焦点距離を変化させる。また、フォーカスレンズ１２ｆは、フォーカスモータ６０ｆに駆動されて撮影光軸上を前後移動し、これにより結像位置を変化させる。また、絞り１２ｉは、アイリスモータ６０ｉに駆動されて開口量が段階的に変化し、これにより絞り値を変化させる。ＣＰＵ４２は、ズームモータドライバ６２ｚ、フォーカスモータドライバ６２ｆ、アイリスモータドライバ６２ｉを介してズームモータ６０ｚ、フォーカスモータ６０ｆ、アイリスモータ６０ｉの駆動を制御し、ズームレンズ１２ｚ、フォーカスレンズ１２ｆ、絞り１２ｉの動作を制御する。
【００２４】
撮像素子１４は、所定のカラーフィルタ配列（たとえば、ベイヤ配列）のカラーＣＣＤで構成されている。撮影光学系１２を介して撮像素子１４の受光面に入射した光は、その受光面に配列された各フォトダイオードによって入射光量に応じた量の信号電荷に変換される。そして、各フォトダイオードに蓄積された信号電荷は、タイミングジェネレータ（ＴＧ）１６から加えられるタイミング信号に従って読み出され、電圧信号（画像信号）として撮像素子１４から順次出力される。
【００２５】
なお、この撮像素子１４は、シャッタゲートとシャッタドレインを備えており、シャッタゲートにシャッタゲートパルスを印加することで各フォトダイオードに蓄積された信号電荷をシャッタドレインに掃き出すことができるようにされている。ＣＰＵ４２は、ＴＧ１６を介してシャッタゲートへのシャッタゲートパルスの印加を制御することにより、各フォトダイオードに蓄積される信号電荷の電荷蓄積時間（シャッタ速度）を制御する（いわゆる電子シャッタ機能）。
【００２６】
アナログ信号処理部１８は、撮像素子１４から順次出力される画像信号を相関二重サンプリング処理するとともに増幅する。Ａ／Ｄ変換器２０は、このアナログ信号処理部１８から出力されたアナログの画像信号をデジタルの画像信号に変換する。
【００２７】
画像入力コントローラ２２は、所定容量のバッファメモリを内蔵しており、Ａ／Ｄ変換器２０から出力された画像信号を１コマ分蓄積して、ＲＡＭ４６に格納する。
【００２８】
デジタル信号処理部２４は、同時化回路、ガンマ補正回路、輪郭補正回路、輝度・色差信号生成回路等を含み、ＣＰＵ４２からの指令に従ってＲＡＭ４６に格納された画像信号を処理し、輝度信号と色差信号とからなるＹＵＶ信号を生成する。
【００２９】
画像表示部３０にスルー画像を表示させる場合は、撮像素子１４で画像を連続的に撮像し、得られた画像信号を連続的に処理してＹＵＶ信号を生成する。生成されたＹＵＶ信号は、ＲＡＭ４６を介してエンコーダ２８に加えられ、表示用の信号形式に変換されて画像表示部３０に出力される。これにより、画像表示部３０にスルー画像が表示される。
【００３０】
画像を記録する場合は、操作部５０からの撮影指令に応じて撮像素子１４で画像を撮像し、得られた画像信号を処理してＹＵＶ信号を生成する。生成されたＹＵＶ信号は、圧縮・伸張処理部３２に加えられ、所定の圧縮画像データ（たとえば、ＪＰＥＧ）とされたのち、メディアコントローラ３４を介して記憶メディア３６に格納される。
【００３１】
記憶メディア３６に格納された圧縮画像データは、再生指令に応じて記憶メディア３６から読み出され、圧縮・伸張処理部３２で非圧縮のＹＵＶ信号とされたのち、エンコーダ２８を介して画像表示部３０に出力される。これにより、記憶メディア３６に記録された画像が画像表示部３０に再生表示される。
【００３２】
ＡＥ検出部３８は、ＣＰＵ４２からの指令に従い、入力された画像信号からＡＥ制御に必要な物理量を算出する。たとえば、ＡＥ制御に必要な物理量として、１画面を複数のエリア（例えば、１６×１６）に分割し、分割したエリアごとにＲ、Ｇ、Ｂの画像信号の積算値を算出する。ＣＰＵ４２は、このＡＥ検出部３８から得た積算値に基づいて被写体の明るさを検出して測光値（ＥＶ値）を求め、求めたＥＶ値に基づいて撮影時の露出を設定する。この露出設定方法については、のちに詳述する。
【００３３】
ＡＦ検出部４０は、ＣＰＵ４２からの指令に従い、入力された画像信号からＡＦ制御に必要な物理量を算出する。本実施の形態のデジタルカメラ１０では、画像のコントラストによりＡＦ制御を行うものとし、ＡＦ検出部４０は、入力された画像信号から画像の鮮鋭度を示す焦点評価値を算出する。ＣＰＵ４２は、このＡＦ検出部４０で算出される焦点評価値が極大となるように、フォーカスモータドライバ６２ｆを介してフォーカスモータ６０ｆを駆動し、フォーカスレンズ１２ｆの移動を制御する。
【００３４】
本実施の形態のデジタルカメラ１０は以上のように構成される。
【００３５】
次に、本実施の形態のデジタルカメラ１０における露出設定方法について説明する。上記のように、本実施の形態のデジタルカメラ１０では、被写体の明るさを検出してＥＶ値を求め、求めたＥＶ値に基づいて露出を設定する。
【００３６】
この際、本実施の形態のデジタルカメラ１０では、手ブレ、被写体ブレによる撮影ミスを防止するため、常にシャッタ速度が規定のシャッタ速度（下限シャッタ速度）以上に設定され、感度と絞り値が設定限界に達すると、シャッタ速度が下限シャッタ速度よりも遅く設定される。
【００３７】
ここで、下限シャッタ速度とは、手ブレ限界シャッタ速度よりも所定段速い値に設定されたシャッタ速度であって、たとえば手ブレ限界シャッタ速度よりも３段分速いシャッタ速度が設定される。
【００３８】
また、手ブレ限界シャッタ速度は、一般に焦点距離（３５ｍｍフィルム換算値）に依存し、１／焦点距離［秒］が規定される。たとえば、焦点距離が３５ｍｍフィルム換算で６０ｍｍの場合、１／６０秒が手ブレ限界シャッタ速度となる。
【００３９】
なお、焦点距離に依存せずに一律に設定してもよい。たとえば、一律に１／６０秒を手ブレ限界シャッタ速度としてもよい。
【００４０】
図２は、本実施の形態のデジタルカメラ１０で用いるプログラム線図の一例を示す図であり、焦点距離４５ｍｍ（３５ｍｍフィルム換算）の時のプログラム線図を示している。
【００４１】
焦点距離が４５ｍｍの場合、手ブレ限界シャッタ速度は１／４５秒となり、下限シャッタ速度は、それよりも３段速い１／３６０秒となる。
【００４２】
したがって、常にシャッタ速度が１／３６０秒よりも速くなるように、感度、絞り値、シャッタ速度が設定され、絞り値と感度が設定限界に達すると、シャッタ速度が１／３６０秒よりも遅く設定される。
【００４３】
ここで、本実施の形態のデジタルカメラ１０では、感度としてＩＳＯ２００、ＩＳＯ４００、ＩＳＯ８００、ＩＳＯ１６００が設定できるものとし、絞り値としてＦ２．８、Ｆ４、Ｆ５．６、Ｆ８、Ｆ１１が設定できるものとすると、感度の限界がＩＳＯ１６００、絞り値の限界がＦ２．８となる。したがって、感度ＩＳＯ１６００、絞り値Ｆ２．８になるまでは、シャッタ速度が下限シャッタ速度（１／３６０秒）上に維持され、感度ＩＳＯ１６００、絞り値Ｆ２．８になると、シャッタ速度が下限シャッタ速度よりも遅く設定される。
【００４４】
図２に示すプログラム線図の場合、ＥＶ１８〜ＥＶ１１．５の範囲では、感度を一定（ＩＳＯ２００）にして、絞り値を段階的に変えることにより、シャッタ速度を下限シャッタ速度以上に維持する。
【００４５】
絞り値はＥＶ１１．５で設定限界（Ｆ２．８）に達するので、ＥＶ８．５〜ＥＶ１１．５の範囲では、絞り値を一定（Ｆ２．８）にして、感度を段階的に変えることにより、シャッタ速度を下限シャッタ速度以上に維持する。
【００４６】
また、感度はＥＶ８．５で設定限界（ＩＳＯ１６００）に達するので、ＥＶ８．５以下の範囲では、感度、絞り値共に一定とし、シャッタ速度のみを変えて露出を設定する。この場合、シャッタ速度が下限シャッタ速度以下に設定される。
【００４７】
このようにシャッタ速度を可能な限り下限シャッタ速度以上に設定することにより、常に速いシャッタ速度を確保することができ、手ブレ、被写体ブレを効果的に抑止することができる。
【００４８】
また、この場合において、シャッタ速度を下限シャッタ速度以上に保つために、まず、感度を固定し、絞り値を段階的に変化させることにより、シャッタ速度を下限シャッタ速度以上に保ち、絞り値が設定限界に達すると、感度を段階的に変化させて、シャッタ速度を下限シャッタ速度以上に保つようにする。
【００４９】
なお、実際の撮影は次のように行われる。まず、シャッタボタンの半押しで操作部５０からＣＰＵ４２にＳ１オン信号が入力される。ＣＰＵ４２は、この操作部５０から入力されるＳ１オン信号の入力に応動して、ＡＥ、ＡＦ処理を実行する。すなわち、ＡＥ処理として、撮像素子１４から測光用の画像信号を取り込み、ＡＥ検出部３８に加える。ＡＥ検出部３８は、入力された画像信号から積算値を算出し、ＣＰＵ４２に出力する。ＣＰＵ４２は、このＡＥ検出部３８から得た積算値に基づいてＥＶ値を算出し、上記のプログラム線図に従って露出を設定する。
【００５０】
また、ＣＰＵ４２は、ＡＦ処理として、撮像素子１４からＡＦ用の画像信号を取り込み、ＡＦ検出部４０に加える。ＡＦ検出部４０は、入力された画像信号から焦点評価値を算出し、ＣＰＵ４２に出力する。ＣＰＵ４２は、このＡＦ検出部４０から得た焦点評価値が極大となるように、フォーカスモータ６０ｆの駆動を制御し、主要被写体にピントを合わせる。
【００５１】
この後、シャッタボタンが全押しされると、操作部５０からＣＰＵ４２にＳ２オン信号が入力される。ＣＰＵ４２は、この操作部から入力されるＳ２オン信号に応動して、画像の撮影、記録処理を実行する（再度シャッタボタンが半押しされた場合は、もう一度ＡＥ、ＡＦ処理を実行する。）。すなわち、記録用の画像信号を撮像素子１４から取り込み、デジタル信号処理部２４に加える。デジタル信号処理部２４は、入力された画像信号に所要の信号処理を施してＹＵＶ信号を作成する。作成されたＹＵＶ信号は、圧縮・伸張処理部３２で圧縮処理され、メディアコントローラ３４を介して記憶メディア３６に記録される。以上一連の工程で画像が、撮影され、記憶メディア３６に記録される。
【００５２】
図３は、シャッタ速度を下限シャッタ速度以上に維持するための他の露出設定方法の処理手順を示すフローチャートである。
【００５３】
この方法では、まず、測光によりＥＶ値を求め（ステップＳ１０）、求めたＥＶ値が限界値よりも小さいか否か判定する（ステップＳ１１）。この限界値は、設定感度の下で絞り値を変えることにより、シャッタ速度を下限シャッタ速度以上に保てる値として設定され、感度ごとに設定される。たとえば、図２に示すように、感度がＩＳＯ２００の下ではＥＶ１１．５、ＩＳＯ４００の下ではＥＶ１０．５、ＩＳＯ８００の下ではＥＶ９．５、ＩＳＯ１６００の下ではＥＶ８．５に設定される（ただし、下限シャッタ速度が１／３６０秒のとき）。
【００５４】
測光により求めたＥＶ値が、現在設定されている感度における限界値よりも大きい場合は、シャッタ速度を下限シャッタ速度以上に設定できるので、シャッタ速度を下限シャッタ速度よりも速いシャッタ速度に設定する（ステップＳ１２）。たとえば、下限シャッタ速度が１／３６０秒なので、１／５００秒付近に設定する。そして、設定したシャッタ速度の下で絞り値を決定する（ステップＳ１３）。
【００５５】
一方、測光により求めたＥＶ値が、現在設定されている感度における限界値よりも小さい場合は、シャッタ速度を下限シャッタ速度以上に設定できないので、感度をアップする。この場合、感度も設定限界があるので、現在の設定感度が、設定限界に達しているか否か判定する（ステップＳ１４）。この判定の結果、感度が設定限界に達していない場合は、感度を一段アップする（ステップＳ１５）。感度を一段アップすると、限界値も変わるので、再度、測光により求めたＥＶ値と新たな限界値とを比較し、ＥＶ値が限界値より小さいか否か判定する（ステップＳ１６）。
【００５６】
測光により求めたＥＶ値が、新たな限界値よりも大きい場合は、シャッタ速度を下限シャッタ速度以上に設定できるので、シャッタ速度を下限シャッタ速度よりも速いシャッタ速度に設定し（ステップＳ１２）、設定したシャッタ速度の下で絞り値を決定する（ステップＳ１３）。
【００５７】
一方、測光により求めたＥＶ値が、限界値よりも小さい場合は、シャッタ速度を下限シャッタ速度以上に設定できないので、ステップＳ１４に戻り、感度をアップできるか否か判定する。すなわち、感度が設定限界に達しているか否かを判定する。
【００５８】
感度が設定限界に達している場合は、感度、絞り値共に変えることができないので、通常のシャッタ速度を設定し（ステップＳ１７）、設定したシャッタ速度の下で絞り値を決定する（ステップＳ１３）。
【００５９】
このように、本例の場合でも、可能な限りシャッタ速度を下限シャッタ速度以上に設定することができ、これにより、手ブレ、被写体ブレを効果的に抑止することができる。
【００６０】
次に、本発明に係る露出設定方法の第２の実施の形態について説明する。
【００６１】
上記第１の実施の形態の露出設定方法では、シャッタ速度を下限シャッタ速度以上に維持することにより、手ブレ、被写体ブレを防止するようにしているが、シャッタ速度を下限シャッタ速度以上に維持すると、感度アップにより画質が低下するという問題がある。
【００６２】
そこで、第２の実施の形態では、露出設定の方法として、通常撮影モードと、ブレ軽減を目的とするブレ軽減撮影モードとを選択できるように構成し、ブレ軽減撮影モードが選択された場合にのみシャッタ速度を下限シャッタ速度以上に維持し、通常撮影モードが選択された場合は、シャッタ速度を手ブレ限界シャッタ速度以上に維持するように露出制御を行う。
【００６３】
図４は通常撮影モードで用いるプログラム線図の一例を示す図であり、焦点距離４５ｍｍ（３５ｍｍフィルム換算）の時のプログラム線図を示している。この場合、手ブレ限界シャッタ速度は１／４５秒となる。
【００６４】
図４に示すように、ＥＶ１８〜ＥＶ８．５の範囲では、感度を一定（ＩＳＯ２００）にして、絞り値を段階的に変えることにより、シャッタ速度を手ブレ限界シャッタ速度以上に維持する。
【００６５】
絞り値はＥＶ８．５で設定限界（Ｆ２．８）に達するので、ＥＶ５．５〜ＥＶ８．５の範囲では、絞り値を一定（Ｆ２．８）にして、感度を段階的に変えることにより、シャッタ速度を手ブレ限界シャッタ速度以上に維持する。
【００６６】
また、感度はＥＶ５．５で設定限界（ＩＳＯ１６００）に達するので、ＥＶ５．５以下の範囲では、感度、絞り値共に一定とし、シャッタ速度のみを変えて露出を設定する。この場合、シャッタ速度が手ブレ限界シャッタ速度以下に設定される。
【００６７】
ブレ軽減撮影モードでは、図２に示したようなプログラム線図を使用して露出設定を行い、シャッタ速度を手ブレ限界シャッタ速度以上に維持する。
【００６８】
ブレ軽減撮影モードと通常撮影モードとの切り換えは、操作部５０で行い、たとえば専用の切換スイッチをカメラボディに設置し、この切換スイッチの設定により、モードの切り換えを行う。この他、画像表示部３０を利用したＧＵＩによりモードの設定を行うようにしてもよいし、特定の撮影モードに連動して自動で切り替わるようにしてもよい。また、三脚への取り付けを検知して、自動で切り換えるようにしてもよい。すなわち、カメラ本体を三脚に取り付けた場合は、手ブレのおそれがないので、自動的に通常撮影モードに設定するようにしてもよい。
【００６９】
図５は、通常撮影モード時における他の露出設定方法の処理手順を示すフローチャートである。
【００７０】
この方法では、まず、測光によりＥＶ値を求め（ステップＳ２０）、求めたＥＶ値が手ブレ限界値よりも小さいか否か判定する（ステップＳ２１）。この手ブレ限界値は、設定感度の下で絞り値を変えることにより、シャッタ速度を手ブレ限界シャッタ速度以上に保てる値として設定され、感度ごとに設定される。たとえば、図４に示すように、感度がＩＳＯ２００の下ではＥＶ８．５、ＩＳＯ４００の下ではＥＶ７．５、ＩＳＯ８００の下ではＥＶ６．５、ＩＳＯ１６００の下ではＥＶ５．５に設定される（ただし、手ブレ限界シャッタ速度が１／４５秒のとき）。
【００７１】
測光により求めたＥＶ値が、現在設定されている感度における手ブレ限界値よりも大きい場合は、シャッタ速度を手ブレ限界シャッタ速度以上に設定できるので、シャッタ速度を手ブレ限界シャッタ速度よりも速いシャッタ速度に設定する（ステップＳ２２）。そして、設定したシャッタ速度の下で絞り値を決定する（ステップＳ２３）。
【００７２】
一方、測光により求めたＥＶ値が、現在設定されている感度における限界値よりも小さい場合は、シャッタ速度を下限シャッタ速度以上に設定できないので、感度をアップする。この場合、感度も設定限界があるので、現在の設定感度が、設定限界に達しているか否か判定する（ステップＳ２４）。この判定の結果、感度が設定限界に達していない場合は、感度を一段アップする（ステップＳ２５）。感度を一段アップすると、手ブレ限界値も変わるので、再度、測光により求めたＥＶ値と新たな手ブレ限界値とを比較し、ＥＶ値が手ブレ限界値より小さいか否か判定する（ステップＳ２６）。
【００７３】
測光により求めたＥＶ値が、手ブレ限界値よりも大きい場合は、シャッタ速度を手ブレ限界シャッタ速度以上に設定できるので、シャッタ速度を手ブレ限界シャッタ速度よりも速いシャッタ速度に設定し（ステップＳ２２）、設定したシャッタ速度の下で絞り値を決定する（ステップＳ２３）。
【００７４】
一方、測光により求めたＥＶ値が、手ブレ限界値よりも小さい場合は、シャッタ速度を手ブレ限界シャッタ速度以上に設定できないので、ステップＳ２４に戻り、感度をアップできるか否か判定する。すなわち、感度が設定限界に達しているか否かを判定する。
【００７５】
感度が設定限界に達している場合は、感度、絞り値共に変えることができないので、通常のシャッタ速度を設定し（ステップＳ２７）、設定したシャッタ速度の下で絞り値を決定する（ステップＳ２３）。
【００７６】
以上の方法によっても可能な限りシャッタ速度を手ブレ限界シャッタ速度以上に設定することができる。
【００７７】
図６は、通常撮影モード時における他の露出設定方法の処理手順を示すフローチャートであり、絞りが一定の場合の露出設定方法を示している。
【００７８】
まず、測光によりＥＶ値を求め（ステップＳ３０）、絞り値を設定する（ステップＳ３１）。絞り値はユーザが設定してもよいし、他の条件により自動で設定してもよい。
【００７９】
次に、設定された絞り値からＥＶ値に基づいて仮のシャッタ速度Ｓ１を求める（ステップＳ３２）。求めたシャッタ速度Ｓ１が、手ブレ限界シャッタ速度Ｓ０よりも速いか否か判定する（ステップＳ３３）。仮のシャッタ速度Ｓ１が、手ブレ限界シャッタ速度Ｓ０よりも速い場合は、その仮のシャッタ速度を撮影のシャッタ速度に設定する（ステップＳ３４）。
【００８０】
一方、仮のシャッタ速度Ｓ１が、手ブレ限界シャッタ速度Ｓ０よりも遅い場合は、感度が設定限界に達しているか否か判定する（ステップＳ３５）。感度が設定限界に達していない場合は、感度を一段アップし（ステップＳ３６）、変更した感度の下で仮のシャッタ速度を再度設定する（ステップＳ３２）。そして、そのシャッタ速度Ｓ１が、手ブレ限界シャッタ速度Ｓ０よりも速いか否か判定する（ステップＳ３３）。
【００８１】
一方、ステップＳ３５で感度が設定限界に達している場合は、感度を上げることができないので、仮のシャッタ速度Ｓ１を撮影のシャッタ速度に設定する（ステップＳ３４）。
【００８２】
以上の方法によっても可能な限りシャッタ速度を手ブレ限界シャッタ速度以上に設定することができる。
【００８３】
図７は、ブレ軽減撮影モード時における他の露出設定方法の処理手順を示すフローチャートであり、絞りが一定の場合の露出設定方法を示している。
【００８４】
まず、測光によりＥＶ値を求め（ステップＳ４０）、絞り値を設定する（ステップＳ４１）。絞り値はユーザが設定してもよいし、他の条件により自動で設定してもよい。
【００８５】
次に、求めたＥＶ値が限界値よりも小さいか否か判定する（ステップＳ４２）。この限界値は、設定されている感度、絞り値の下でシャッタ速度を下限シャッタ速度以上に保てる値として設定され、感度、絞り値ごとに設定される。
【００８６】
測光により求めたＥＶ値が、現在設定されている感度、絞り値における限界値よりも大きい場合は、シャッタ速度を下限シャッタ速度以上に設定できるので、シャッタ速度を下限シャッタ速度よりも速いシャッタ速度に設定する（ステップＳ４３）。
【００８７】
一方、測光により求めたＥＶ値が、現在設定されている感度、絞り値における限界値よりも小さい場合は、シャッタ速度を下限シャッタ速度以上に設定できないので、感度をアップする。この場合、感度も設定限界があるので、現在の設定感度が設定限界に達しているか否か判定し（ステップＳ４４）、感度が設定限界に達していない場合は、感度を一段アップする（ステップＳ４５）。感度を一段アップすると、限界値も変わるので、再度、測光により求めたＥＶ値と新たな限界値とを比較し、ＥＶ値が限界値より小さいか否か判定する（ステップＳ４６）。そして、測光により求めたＥＶ値が、新たに設定した限界値よりも大きい場合は、シャッタ速度を下限シャッタ速度以上に設定できるので、シャッタ速度を下限シャッタ速度よりも速いシャッタ速度に設定する（ステップＳ４３）。
【００８８】
一方、測光により求めたＥＶ値が、限界値よりも小さい場合は、シャッタ速度を下限シャッタ速度以上に設定できないので、ステップＳ４４に戻り、感度をアップできるか否か判定する。すなわち、感度が設定限界に達しているか否かを判定する。
【００８９】
感度が設定限界に達している場合は、感度を変えることができないので、通常のシャッタ速度を設定する（ステップＳ４７）。
【００９０】
このように、本例の場合でも、可能な限りシャッタ速度を下限シャッタ速度以上に設定することができ、これにより、手ブレ、被写体ブレを効果的に抑止することができる。なお、この方法は上述した第１の実施の形態の露出設定方法においても使用することができる。
【００９１】
以上説明したように、本実施の形態の露出設定方法によれば、感度アップによる画質低下を防止できる通常撮影モードと、速いシャッタ速度を確保して手ブレ、被写体ブレを防止できるブレ軽減モードとを選択できることにより、用途に応じた撮影を行うことができる。
【００９２】
なお、上記実施の形態のデジタルカメラ１０では、撮像素子１４から得た画像信号に基づいてＥＶ値を求めているが、ＥＶ値を求める方法については、これに限定されるものではなく、他の測光センサ等を用いてＥＶ値を求めるようにしてもよい。
【００９３】
また、本実施の形態では、本発明をデジタルカメラに適用した場合を例に説明したが、本発明の適用はこれに限定されるものではなく、撮像素子を用いて静止画撮影を行う機能を備えた機器全般に適用することができる。
【図面の簡単な説明】
【００９４】
【図１】デジタルカメラの構成を示すブロック図
【図２】プログラム線図の一例を示す図
【図３】露出設定方法の処理手順を示すフローチャート
【図４】通常撮影モードで用いるプログラム線図の一例
【図５】通常撮影モード時における露出設定方法の処理手順を示すフローチャート
【図６】通常撮影モード時における露出設定方法の処理手順を示すフローチャート
【図７】ブレ軽減撮影モード時における露出設定方法の処理手順を示すフローチャート
【符号の説明】
【００９５】
１０…デジタルカメラ、１２…撮影光学系、１４…撮像素子、１６…タイミングジェネレータ（ＴＧ）、１８…アナログ信号処理部、２０…Ａ／Ｄ変換器、２２…画像入力コントローラ、２４…デジタル信号処理部、２８…エンコーダ、３０…画像表示部、３２…圧縮・伸張処理部、３４…メディアコントローラ、３６…記憶メディア、３８…ＡＥ検出部、４０…ＡＦ検出部、４２…ＣＰＵ、４４…ＲＯＭ、４６…ＲＡＭ、４８…フラッシュＲＯＭ、５０…操作部
【図１】
2007025129.tif 000003
【図２】
2007025129.tif 000004
【図３】
2007025129.tif 000005
【図４】
2007025129.tif 000006
【図５】
2007025129.tif 000007
【図６】
2007025129.tif 000008
【図７】
2007025129.tif 000009